(57)【要約】【課題】作業効率を高めるとともに、作業者の安全性を確保すること。【解決手段】環形状をなし、当該環を開閉可能なゲートを備えたカラビナ１１０と、長さ方向における中間部分において相対的に回動可能に連結された一対のレバーと、当該一対のレバーの長さ方向における一端側が互いに当接するように当該一対のレバーを付勢する付勢部材と、を備えたクリップ１３０と、一端がカラビナ１１０に連結され、他端がクリップ１３０に連結された所定長さの紐状部材１２０と、を備えた鳥害防止具滑落防止具１００を構成した。【選択図】図１
2019176535.tif 000002
【特許請求の範囲】
【請求項１】
環形状をなし、当該環を開閉可能なゲートを備えたカラビナと、
長さ方向における中間部分において相対的に揺動可能に連結された一対のレバーと、当該一対のレバーの長さ方向における一端側が互いに当接するように当該一対のレバーを付勢する付勢部材と、を備えたクリップと、
一端が前記カラビナに連結され、他端が前記クリップに連結された所定長さの紐状部材と、
を備えたことを特徴とする鳥害防止具滑落防止具。
【請求項２】
前記クリップは、前記一対のレバーの一端側が互いに当接した状態において、当該一端側と互いの連結位置との間に隙間を形成する形状をなすことを特徴とする請求項１に記載の鳥害防止具滑落防止具。
【請求項３】
前記紐状部材は、他端側が複数に分岐しており、
前記クリップは、複数に分岐した各他端に連結されていることを特徴とする請求項１または２に記載の鳥害防止具滑落防止具。
【発明の詳細な説明】
【技術分野】
【０００１】
この発明は、鳥害防止具の取り付け作業に用いる鳥害防止具滑落防止具に関する。
【背景技術】
【０００２】
従来、引込線に止まった鳥が庭や駐車場にフンをすることによる鳥害を防止するため、当該引込線に鳥害防止具を取り付けることがしばしばある。鳥害防止具は、たとえば、外周側に突出する多数の突起を備えた半円筒形状をなす一対のベース部材を備えており、引込線を間にして一対のベース部材を組み合わせて円筒形状とした状態で引込線に取り付けられる。
【０００３】
このような鳥害防止具は、引込線の長さにあわせて複数連結した状態で取り付ける。具体的には、先に取り付けた鳥害防止具に、後から取り付ける鳥害防止具を連結し、その後、後から取り付ける鳥害防止具を構成する一対のベース部材を組み合わせて円筒形状とする。
【０００４】
関連する技術として、具体的には、従来、たとえば、剛性樹脂により形成され、外周面に突起を備え円筒形状をなす本体の周面の一部に軸心方向に沿った切欠部を備えた鳥害防止具に関する技術があった（たとえば、下記特許文献１を参照。）。
【先行技術文献】
【特許文献】
【０００５】
【特許文献１】特開２０１６−２０８６１３号公報
【発明の概要】
【発明が解決しようとする課題】
【０００６】
しかしながら、上述した従来の技術は、鳥害防止具の取り付け作業に際して、鳥害防止具の取付対象とする引込線が、電柱から水平よりも下向きに傾斜して施設されている場合、鳥害防止具から誤って手を放してしまい家屋側に滑り落ちてしまうことがあるという問題があった。特に、複数の鳥害防止具を取り付ける場合、先に取り付けた鳥害防止具に、後から取り付ける鳥害防止具を連結する際に、先に取り付けた鳥害防止具から誤って手を放してしまうことがあった。
【０００７】
上述した従来の技術は、このような先に取り付けた鳥害防止具の落下を防止するためには、先に取り付けた鳥害防止具を作業者が常に片手で把持しながら、後から取り付ける鳥害防止具に対する作業をおこなわなくてはならず、作業効率に劣るという問題があった。また、上述した従来の技術は、足元や電気設備に気を付けながら、鳥害防止具の落下防止にも注意しなくてはならないため、作業者が目配りする箇所が多くなってしまい、作業者の安全性や作業効率に劣るという問題があった。
【０００８】
この発明は、上述した従来技術による問題点を解消するため、作業効率を高めるとともに、作業者の安全性を確保することができる鳥害防止具滑落防止具を提供することを目的とする。
【課題を解決するための手段】
【０００９】
上述した課題を解決し、目的を達成するため、この発明にかかる鳥害防止具滑落防止具は、環形状をなし、当該環を開閉可能なゲートを備えたカラビナと、長さ方向における中間部分において相対的に揺動可能に連結された一対のレバーと、当該一対のレバーの長さ方向における一端側が互いに当接するように当該一対のレバーを付勢する付勢部材と、を備えたクリップと、一端が前記カラビナに連結され、他端が前記クリップに連結された所定長さの紐状部材と、を備えたことを特徴とする。
【００１０】
また、この発明にかかる鳥害防止具滑落防止具は、上記の発明において、前記クリップが、前記一対のレバーの一端側が互いに当接した状態において、当該一端側と互いの連結位置との間に隙間を形成する形状をなすことを特徴とする。
【００１１】
また、この発明にかかる鳥害防止具滑落防止具は、上記の発明において、前記紐状部材が、他端側が複数に分岐しており、前記クリップが、複数に分岐した各他端に連結されていることを特徴とする。
【発明の効果】
【００１２】
この発明にかかる鳥害防止具滑落防止具によれば、作業効率を高めるとともに、作業者の安全性を確保することができるという効果を奏する。
【図面の簡単な説明】
【００１３】
【図１】この発明にかかる実施の形態の鳥害防止具滑落防止具の構成を示す説明図である。
【図２】クリップの構成を示す説明図である。
【図３】鳥害防止具の構成を示す説明図（その１）である。
【図４】鳥害防止具の構成を示す説明図（その２）である。
【図５】この発明にかかる実施の形態の鳥害防止具滑落防止具を用いた、鳥害防止具の取り付け手順を示す説明図（その１）である。
【図６】この発明にかかる実施の形態の鳥害防止具滑落防止具を用いた、鳥害防止具の取り付け手順を示す説明図（その２）である。
【図７】この発明にかかる実施の形態の鳥害防止具滑落防止具を用いた、鳥害防止具の取り付け手順を示す説明図（その３）である。
【図８】この発明にかかる実施の形態の鳥害防止具滑落防止具を用いた、鳥害防止具の取り付け手順を示す説明図（その４）である。
【図９】この発明にかかる実施の形態の鳥害防止具滑落防止具を用いた、鳥害防止具の取り付け手順を示す説明図（その５）である。
【図１０】この発明にかかる実施の形態の鳥害防止具滑落防止具を用いた、鳥害防止具の取り付け手順を示す説明図（その６）である。
【図１１】この発明にかかる実施の形態の鳥害防止具滑落防止具を用いた、鳥害防止具の取り付け手順を示す説明図（その７）である。
【図１２】この発明にかかる実施の形態の鳥害防止具滑落防止具を用いた、鳥害防止具の取り付け手順を示す説明図（その８）である。
【発明を実施するための形態】
【００１４】
以下に添付図面を参照して、この発明にかかる鳥害防止具滑落防止具の好適な実施の形態を詳細に説明する。
【００１５】
（鳥害防止具滑落防止具の構成）
まず、この発明にかかる実施の形態の鳥害防止具滑落防止具の構成について説明する。図１は、この発明にかかる実施の形態の鳥害防止具滑落防止具の構成を示す説明図である。
【００１６】
図１に示すように、この発明にかかる実施の形態の鳥害防止具滑落防止具１００は、カラビナ１１０と、紐状部材１２０と、クリップ１３０と、を備えている。カラビナ１１０は、環形状をなす。また、カラビナ１１０は、環を開閉可能なゲートを備えている。ゲートは、ストレートゲート、ベントゲート、ワイヤーゲートなど、公知の各種のゲートを用いることができる。カラビナ１１０は、ゲートを開いた状態ではフック形状をなし、ゲートを閉じた状態では環形状をなす。ゲートは、図示を省略するバネなどによって、閉じる方向に付勢されている。
【００１７】
紐状部材１２０は、所定長さを有し、一端がカラビナ１１０に連結され、他端がクリップ１３０に連結されている。紐状部材１２０の長さは、たとえば、電柱における腕金の固定位置（図５などを参照）から、引込線に対する作業位置までの間隔と同等以上の長さとすることができる。
【００１８】
紐状部材１２０は、電気を通しにくく、十分な強度を有し、軽量な材質を用いて形成することが好ましい。また、紐状部材１２０は、たとえば、電柱などに巻き付けることができる程度の柔軟性を備えていることが好ましい。また、紐状部材１２０は、表面に所定の摩擦抵抗があることが好ましい。
【００１９】
具体的には、紐状部材１２０は、たとえば、エスロン（登録商標）などのような、塩化ビニル樹脂を用いて形成されたエスロンロープによって実現することができる。エスロンロープは、軽量であって、複数個の鳥害防止具の重量がかかっても破損しない十分な強度を備えている。また、エスロンロープは、電気を通しにくく、かつ、滑りにくいという性質を備えている。
【００２０】
紐状部材１２０は、他端側が複数（この実施の形態においては２つ）に分岐している。分岐位置から他端までの長さは、鳥害防止具の長さ以上であることが好ましい。クリップ１３０は、２つに分岐した紐状部材１２０の他端にそれぞれ設けられている。
【００２１】
（クリップ１３０の構成）
つぎに、クリップ１３０の構成について説明する。図２は、クリップ１３０の構成を示す説明図である。図２に示すようにクリップ１３０は、一対のレバー２０１と付勢部材２０２とを備えている。一対のレバー２０１は、それぞれの長さ方向における中間部分において相対的に揺動可能に連結されている。一対のレバー２０１は、たとえば、プラスチックなどの導電性が低い材料を用いて形成されていることが好ましい。
【００２２】
一対のレバー２０１は、長さ方向における一端側が互いに当接した状態において、当該一端側と互いの連結位置との間に隙間２０３を形成する形状をなしている。隙間２０３は、クリップ１３０によって鳥害防止具を把持した状態において、鳥害防止具のメッシュライン（図３および図４を参照）を収めることができる程度の大きさに形成されている。この隙間２０３は、クリップ１３０の開閉に連動して開閉される。
【００２３】
付勢部材２０２は、一対のレバー２０１の長さ方向における一端側が互いに当接するように、当該一対のレバー２０１を付勢する。付勢部材２０２は、たとえば、一対のレバー２０１の長さ方向における他端側を互いに離間する方向に付勢する圧縮スプリングによって実現することができる。
【００２４】
（鳥害防止具の構成）
つぎに、鳥害防止具の構成について説明する。図３および図４は、鳥害防止具の構成を示す説明図である。図３および図４において、鳥害防止具３００は、半円筒形状をなす一対のベース部材３０１を備えている。一対のベース部材３０１は、互いに、ベース部材３０１がなす半円筒形状の直径方向における端部のうちの一方の端部においてヒンジ３０２によって連結されている。
【００２５】
また、一対のベース部材３０１は、ベース部材３０１がなす半円筒形状の直径方向における端部のうちの他方の端部に係止部（図示を省略する）を備えている。係止部は、たとえば、ツメと、当該ツメを引っ掛ける被係止部と、によって構成されており、一対のベース部材３０１を組み合わせた状態で互いに押しつけると、ツメが被係止部に引っ掛かり、鳥害防止具３００を円筒形状に保持することができる。
【００２６】
ベース部材３０１の外周には、外方へ突出する複数の突起３０３が設けられている。ベース部材３０１は、メッシュ状になっており、突起３０３はメッシュライン３０４上に設けられている。各ベース部材３０１において、軸心方向における両端部には、ベース部材３０１を半径方向に貫通する孔３０５が設けられている。鳥害防止具３００は、孔３０５に結束バンドを挿入するなどして、複数連結して使用することができる。
【００２７】
（鳥害防止具３００の取り付け手順）
つぎに、この発明にかかる実施の形態の鳥害防止具滑落防止具１００を用いた、鳥害防止具３００の取り付け手順について説明する。図５〜図１２は、この発明にかかる実施の形態の鳥害防止具滑落防止具１００を用いた、鳥害防止具３００の取り付け手順を示す説明図である。
【００２８】
鳥害防止具滑落防止具１００を用いた鳥害防止具３００の取り付け作業に際しては、まず、図５に示すように、作業者５０１が、引込線５０２の一端（一次側）を支持する電柱５０３などに昇柱して、鳥害防止具滑落防止具１００のカラビナ１１０を、引込線５０２の支持位置の近傍に取り付ける。具体的には、カラビナ１１０は、たとえば、腕金５０４を支持するステンレスバンド５０５と電柱５０３との隙間などに引っ掛けることによって取り付ける。
【００２９】
カラビナ１１０は、ゲートを開いた状態でフック形状をなすため、足場が制限された柱上であっても容易に取り付けることができる。また、カラビナ１１０は、ゲートを閉じた状態では環形状をなすため、取り付けた後、鳥害防止具３００の取り付け作業中に外れてしまうことを防止できる。
【００３０】
あるいは、カラビナ１１０は、電柱５０３に巻き付けた紐状部材１２０に、巻き付けられた紐状部材１２０と輪を形成するようにして取り付けてもよい。紐状部材１２０は柔軟性を有しているために電柱５０３に沿って隙間なく巻き付けることができる。このような柔軟性を有する紐状部材１２０を用いることにより、電柱５０３の太さにかかわらず、鳥害防止具滑落防止具（紐状部材１２０の一端）を確実に固定することができる。
【００３１】
また、電柱５０３に取り付けられている電気設備の近傍で作業する場合であっても、当該電気設備を回避して取り付けることができる。これにより、作業場所に左右されることなく、鳥害防止具滑落防止具１００（紐状部材１２０の一端）の位置を固定することができる。巻き付けられた紐状部材１２０は、電柱５０３との摩擦により、滑り落ちることが防止される。
【００３２】
つぎに、図６に示すように、１つめの鳥害防止具３００ａを引込線５０２に取り付ける。鳥害防止具３００は、引込線５０２を間にして組み合わせて円筒形状とした一対のベース部材３０１を、ツメが被係止部に引っ掛かるように互いに押しつけることによって、引込線５０２に取り付けることができる。そして、図７に示すように、１つめの鳥害防止具３００ａに、鳥害防止具滑落防止具１００のクリップ１３０を取り付ける。
【００３３】
付勢部材２０２の付勢力を利用して一対のレバー２０１の間に鳥害防止具３００を挟み込むクリップ１３０を用いることにより、一対のレバー２０１の他端を握るだけで操作することができるので、低圧ゴム手袋などの保護手袋を装着している場合にも、容易かつ確実に、クリップ１３０を鳥害防止具３００に取り付けることができる。また、一対のレバー２０１を、プラスチックなどの導電性が低い材料を用いて形成することにより、作業者５０１の安全性を確保することができる。
【００３４】
鳥害防止具滑落防止具１００が備える２つのクリップ１３０のうちの１つを鳥害防止具３００に取り付けることにより、図８に示すように、作業者５０１が鳥害防止具３００から手を離しても、鳥害防止具３００が引込線５０２の下端まで滑落することを防止できる。これにより、作業者５０１は、滑落防止のために鳥害防止具３００を把持する必要がなくなるので、両手を使用して作業をおこなうことができる。これにより、作業性を高めるとともに、作業者５０１の安全性を確保することができる。
【００３５】
紐状部材１２０は、鳥害防止具３００の位置に応じて余剰分を、作業者５０１の近傍に括っておいてもよい。具体的には、紐状部材１２０は、たとえば、電柱５０３本体やボルトなどに複数回巻き付けることによって、容易に長さを調整することができる。紐状部材１２０は、任意の形状に柔軟に変形するため、括り付ける場所を選ばない。これにより、鳥害防止具滑落防止具１００の汎用性を高めることができる。
【００３６】
特に、紐状部材１２０をエスロンロープによって実現することにより、破損を懸念することなく複数の鳥害防止具３００を吊り下げることができるので、作業者５０１は安心して作業をおこなうことができ、これにより作業性を確保することができる。
【００３７】
鳥害防止具滑落防止具１００は２つのクリップ１３０を備えているため、図９に示すように、鳥害防止具３００を２箇所において支持することができる。具体的には、たとえば、１つは一対のベース部材３０１における一方のベース部材３０１に取り付け、別の１つは一対のベース部材３０１における他方のベース部材３０１に取り付ける。
【００３８】
これにより、作業者５０１がクリップ１３０に触れたり、クリップ１３０が周囲の設備にぶつかるなどして、一方のクリップ１３０が外れた場合にも、鳥害防止具３００が引込線５０２の下端まで滑落することを防止できるので、作業者５０１は安心して作業をおこなうことができる。また、万一、鳥害防止具３００の取り付け作業中に、一方のクリップ１３０が破損した場合にも、他方のクリップ１３０によって鳥害防止具３００を把持することができるので、作業を中断することなく継続することができる。
【００３９】
つぎに、図１０に示すように、２つめの鳥害防止具３００ｂを引込線５０２に取り付ける。２つめの鳥害防止具３００ｂは、１つめの鳥害防止具３００ａと同様にして取り付ける。１つめの鳥害防止具３００ａと２つめの鳥害防止具３００ｂとは、たとえば、結束バンドを用いて連結する。
【００４０】
そして、図１１に示すように、１つめの鳥害防止具３００ａに取り付けられている２つのクリップ１３０のうちの１つを、２つめの鳥害防止具３００ｂに取り付ける。その後、図１２に示すように、１つめの鳥害防止具３００ａに取り付けられている別のクリップ１３０を２つめの鳥害防止具３００ｂに取り付ける。
【００４１】
このように、２つあるクリップ１３０を１つずつ移動させることにより、作業者５０１が、クリップ１３０の移動中に鳥害防止具３００から手を離しても、鳥害防止具３００が引込線５０２の下端まで滑落することを防止できる。以降、同様にして、引込線５０２の長さに応じた数の鳥害防止具３００を取り付ける。
【００４２】
紐状部材１２０において、分岐位置から他端までの長さを鳥害防止具３００の長さ以上とすることにより、２つのクリップ１３０のうちの１つを１つめの鳥害防止具３００ａに取り付けた状態であっても、別のクリップ１３０を２つめの鳥害防止具３００ｂの任意の位置に取り付けることができる。
【００４３】
上述した実施の形態においては、紐状部材１２０の他端を分岐させ、各他端にそれぞれクリップ１３０を連結した鳥害防止具滑落防止具１００について説明したが、これに限るものではない。鳥害防止具滑落防止具１００は、分岐のない紐状部材１２０を用いて、他端に１つのクリップ１３０を備えた構成であってもよい。このようなシンプルな構成とすることにより、作業性を確保することができる。
【００４４】
また、上述した実施の形態においては、円筒形状をなす鳥害防止具滑落防止具１００を鳥害防止具３００の取り付け作業に用いる例について説明したが、鳥害防止具滑落防止具１００の用途は、円筒形状をなす鳥害防止具３００の取り付け作業に限るものではない。円筒形状をなす鳥害防止具３００に代えて、複数を連結して取り付ける鳥害防止具３００の取り付け作業に用いることができる。
【００４５】
鳥害防止具滑落防止具１００は、鳥害防止具３００の取り付け作業に限らず、建設用途などの防護管の取り付け作業に用いることもできる。防護管の取り付け作業は、作業頻度が多く、このような作業に鳥害防止具滑落防止具１００を用いることにより、作業時間の大幅な短縮を図ることができる。
【００４６】
以上説明したように、この発明にかかる実施の形態の鳥害防止具滑落防止具１００は、環形状をなし、当該環を開閉可能なゲートを備えたカラビナ１１０と、長さ方向における中間部分において相対的に回動可能に連結された一対のレバー２０１と、当該一対のレバー２０１の長さ方向における一端側が互いに当接するように当該一対のレバー２０１を付勢する付勢部材２０２と、を備えたクリップ１３０と、一端がカラビナ１１０に連結され、他端がクリップ１３０に連結された所定長さの紐状部材１２０と、を備えたことを特徴としている。
【００４７】
この発明にかかる実施の形態の鳥害防止具滑落防止具１００によれば、カラビナ１１０を用いて紐状部材１２０の一端側の位置を固定し、クリップ１３０によって鳥害防止具３００を把持することにより、作業者５０１が意図せずに鳥害防止具３００から手を離した場合にも、鳥害防止具３００が落下することを防止できる。
【００４８】
これにより、作業者５０１は、鳥害防止具３００の落下を懸念することなく、両手を使って、鳥害防止具３００の取り付け作業に専念することができるので、鳥害防止具３００の取り付け作業にかかる作業効率の向上を図ることができる。
【００４９】
また、この発明にかかる実施の形態の鳥害防止具滑落防止具１００によれば、カラビナ１１０とクリップ１３０とを紐状部材１２０によって連結することにより、鳥害防止具滑落防止具１００によって鳥害防止具３００を電柱５０３などに連結した場合にも、作業中の作業者５０１に触れるのは紐状部材１２０となるため、鳥害防止具３００の取り付け作業に支障を来すことがない。これにより、作業者５０１の安全性や作業性を確保することができる。
【００５０】
また、この発明にかかる実施の形態の鳥害防止具滑落防止具１００によれば、簡易な構成によって実現することができるため、柱上など、足場が制限されていたり、周辺に電気設備が取り付けられていて作業スペースが制限されていたりする場所であっても、鳥害防止具３００の取り付け作業に支障を来すことがない。
【００５１】
これにより、作業者５０１は、鳥害防止具滑落防止具１００を用いることによる煩わしさを感じたり、鳥害防止具３００の滑落を懸念することなく、自身の安全確保や鳥害防止具３００の取り付け作業に注力することができる。これによって、作業者５０１の安全性や作業性を確保することができる。
【００５２】
このように、この発明にかかる実施の形態の鳥害防止具滑落防止具１００によれば、作業効率を高めるとともに、作業者５０１の安全性を確保することができる。
【００５３】
また、この発明にかかる実施の形態の鳥害防止具滑落防止具１００は、クリップ１３０が、一対のレバー２０１の一端側が互いに当接した状態において、当該一端側と互いの連結位置との間に隙間２０３を形成する形状をなすことを特徴としている。
【００５４】
この発明にかかる実施の形態の鳥害防止具滑落防止具１００によれば、クリップ１３０における隙間２０３に鳥害防止具３００（鳥害防止具３００のメッシュライン３０４）を挟み込んだ状態で、当該鳥害防止具３００の取り付け作業をおこなうことにより、鳥害防止具３００に取り付けたクリップ１３０が干渉して鳥害防止具３００を組み合わせにくくなるなどの不具合を回避することができる。
【００５５】
これにより、鳥害防止具３００の取り付け作業に支障を来すことなく、作業者５０１が意図せずに鳥害防止具３００から手を離した場合にも、鳥害防止具３００が落下することを防止できる。
【００５６】
また、この発明にかかる実施の形態の鳥害防止具滑落防止具１００は、紐状部材１２０が、他端側が複数に分岐しており、クリップ１３０が、複数に分岐した各他端に連結されていることを特徴としている。
【００５７】
この発明にかかる実施の形態の鳥害防止具滑落防止具１００によれば、鳥害防止具３００を複数箇所において支持することができる。これにより、たとえば、作業スペースが狭い場所における鳥害防止具３００の取り付け作業に際して、意図せず鳥害防止具滑落防止具１００に触れてしまった場合にも、いずれか一方のクリップ１３０が取り付けられていれば鳥害防止具３００の滑落を防止することができる。
【産業上の利用可能性】
【００５８】
以上のように、この発明にかかる鳥害防止具滑落防止具は、鳥害防止具の取り付け作業に用いる鳥害防止具滑落防止具に有用であり、特に、鉛直方向に対して傾斜して架線された引込線への鳥害防止具の取り付け作業に用いる鳥害防止具滑落防止具に適している。
【符号の説明】
【００５９】
１００  鳥害防止具滑落防止具
１１０  カラビナ
１２０  紐状部材
１３０  クリップ
２０１  レバー
２０２  付勢部材
３００、３００ａ、３００ｂ  鳥害防止具
５０２  引込線
５０３  電柱
５０４  腕金
５０５  ステンレスバンド
【図１】
2019176535.tif 000003
【図２】
2019176535.tif 000004
【図３】
2019176535.tif 000005
【図４】
2019176535.tif 000006
【図５】
2019176535.tif 000007
【図６】
2019176535.tif 000008
【図７】
2019176535.tif 000009
【図８】
2019176535.tif 000010
【図９】
2019176535.tif 000011
【図１０】
2019176535.tif 000012
【図１１】
2019176535.tif 000013
【図１２】
2019176535.tif 000014